(57)【要約】【課題】間伐材が腐食した後も土砂の垂直性を確保することができ、受圧板のより軽量化並びにより低コスト化を図る。【解決手段】壁体３は型鋼１１で補強された鋼製網１２と、この鋼製網１２に結束ワイヤ等の締結部材１３を介して垂直に緊結される間伐材１４と、鋼製網１２の背面に配設する吸出し防止材１５よりなる。壁体３は地山１に略水平に設置するボルト７を接続金具１６を用いて支持される。壁体３の背面には樹木の生育に好適な裏込土８を投入して頂部に植樹帯９を形成し壁体３を覆うような樹木１０を植える。鋼製網１２には約３０年くらいの耐久性を有するエキスパンドメタルを使用すると間伐材１４が腐食しても鋼製網１２の腐食の限度まで壁体３の耐久性を延長することができる。【選択図】　　　　図２
2004100237.tif 000002
【特許請求の範囲】
【請求項１】
鋼材で補強された鋼製網を受圧板として立設し、この鋼製網の背面に吸排水性の高い吸出し防止材を介在させながら樹木の生育に好適な土砂を裏込すると共に、前記受圧板をアンカーにて支持し、前記鋼製網の前面に受圧板補強用の間伐材を立設係止することを特徴とする土留構造。
【発明の詳細な説明】
【０００１】
【発明の属する技術分野】
この発明は、斜面に階段状の植樹帯を形成して法面の崩壊防止及び緑化促進に寄与する土留構造に関し、特に所要の土圧に対し施工性、経済性及び耐久性に富む鋼製網を受圧板として用いる土留構造に関する。
【０００２】
【従来の技術】
近年景観保護や地球環境保全を重視して、斜面上に平らな地盤を形成して崩落防止及び緑化を図る所謂グリーンベンチ工法の施工が増加している。このグリーンベンチ工法は、急傾斜地の斜面に壁体立設用の平坦部を形成し、この平坦部に壁体を略垂直に載置すると共に地山に固定したアンカーを壁体に略直交して接続し、この壁体背面上部に樹木の生育に好適な土砂を裏込して壁体頂部に植樹帯を形成し、樹木の成長により地盤の強化を図るという工法である。
【０００３】
従来のグリーンベンチ工法では、壁体として高さ１．５ｍ程度のコンクリートパネルを用いてきたが、コンクリートパネルは土圧の大きさに比べて重すぎ、現地への搬入や設置を行なう際の作業性に難点があった。又樹木がパネルを覆い隠す状態に生長するまでは、コンクリート部が自然景観にマッチしないという欠点もあった。
【０００４】
そこで、出願人は国内森林資源で使用用途が定まらずに多量に放置されている間伐材を用いて、重さの軽減と費用の低廉化を図りながら外観を整える土留構造を先に提案した。この土留構造は特開２００２−８１０７５号公報に記載されるもので、アンカーに支持され適宜間隔で立設するコンクリート製の柱体と締結金具を介して水平に緊結される間伐材を備える構造で、間伐材の背面には樹木の生育に好適な土砂を裏込し、間伐材が構造材としての使用期限に至った時には締結金具を切断して新たな材料に取り替える方式であった。
【０００５】
出願人の提案したこの土留構造は、自然景観に調和する間伐材の有効活用が図れると共に間伐材に最小限の加工を施すのみで使用可能であるのでコスト低減も図れ、かつ部材の軽量化が実現されるので運搬が容易になり施工箇所の適用範囲も拡大するという長所を多々備えるものであった。
【０００６】
【発明が解決しようとする課題】
しかし、間伐材は腐食に対する耐久性という点で不安があるため、なかなか積極的な使用に至っていない。又軽量化された構造ではあったが、アンカーに支持されるコンクリート製の柱体を用いていたため未だ施工性、経済性の点でも改良の余地があった。
【０００７】
この発明は、上記のような従来の土留構造が有する問題点を解消すべくなされたものであり、間伐材が腐食した後も土砂の垂直性を確保することができ、受圧板のより軽量化並びにより低コスト化を図れる土留構造を提供することを目的としている。
【０００８】
【課題を解決するための手段】
上記課題を解決するため、この発明の土留構造は、鋼材で補強された鋼製網を受圧板として立設し、この鋼製網の背面に吸排水性の高い吸出し防止材を介在させながら樹木の生育に好適な土砂を裏込すると共に、前記受圧板をアンカーにて支持し、前記鋼製網の前面に受圧板補強用の間伐材を立設係止することを特徴とするものである。
【０００９】
この土留構造は専ら平らな地盤の造成を目的とするもので、垂直の壁面に作用する圧力は比較的小さい。従ってアンカーとしては、主にボルトを採用する。垂直面の主構造となる鋼材で補強された鋼製網が、地山に設置するボルトと連結され、この時に地山から得られる水平力が反力となって垂直面の安定が図られる。鋼製網には所要の土圧に対し施工性、経済性及び耐久性に富むエキスパンドメタルを使用するのが望ましい。約３０年くらいの耐久性を確保すれば補強用の間伐材が腐食して壁体の補強部材としての機能を喪失した場合にも、鋼製網の腐食の限度まで耐久性を延長することができる。
【００１０】
なお水平面に植栽する樹木の生長年数を約２０年とすれば、間伐材が腐食した時点で既に樹木が生育していく為の基盤は保たれているので、壁面に作用する圧力は軽減されており新たな補強材は不要となる。鋼製網が腐食した後、その役割は樹木の育成によって代行され、終には天然の森と同様の斜面の安定が実現する。又、鉄製品が腐食した後は土中に鉄分が溶出することによって重要な鉱物要素が還元され生物の生長に不可欠な養分を提供することになる。
【００１１】
又鋼製網は水平・垂直方向に適宜間隔で配設する鋼材、例えば山形鋼などの型鋼で所要剛性を保有するよう補強されているが、前面に立設する間伐材の剛性を生かすことで垂直方向の鋼材は省略も可能である。間伐材は伐採によって発生した材木を、長さを切り揃える程度でより自然の状態で最小限の加工を施して使用する。網の任意の穴を利用して間伐材を直接括り付けることができるため、取付作業は非常に簡易である。又間伐材の径は一般に不揃いであるが、本土留構造では網の補強に用いているので厳密なる均等配置を確保しなくともよく、材料のあらゆる不揃いを許容できる。
【００１２】
吸出し防止材には排水性・通気性に優れた素材、例えば椰子繊維などを使用し水の浸透を許しつつ土砂の流出防止を図りながら、植栽する樹木の根の成長に必要な酸素の供給を十分に行ない、自然再生力の増強を図る。樹木の生育に好適な裏込土としては地山掘削土及び自然に存在する表土を活用し、必要な場合には客土を行って階段状の植林空間を創造する。斜面上の平らな地盤が植生の成長を促進し、その結果として地盤そのものは樹木の根によって補強され、更に降雨の影響力からの保護を受けるという、互いに好影響を与え合う関係を作り上げる。樹木は自らの成長と風等気象に対する安定のために根を伸ばすため、地盤と一体となってその形状を固定するので、本土留構造の役割は時間経過と共に少しずつ軽減されていく。
【００１３】
アンカーは、地山の強化・安定及び鋼製網にかかる水平力に対処することを目的として最も効率のよい角度、即ち水平方向あるいはこれに極めて近い角度をもって設置し、地山内に固定するアンカーバーをねじとナットの構造を生かす簡易な金具で鋼製網に接続するのが望ましい。金具の一例としては、鋼製網の前面より差込むプレート付柱体と、この柱体と螺着して内部にナット付のアンカーバーを自在継手状に係止する筒体とで構成される接続金具等が考えられる。この場合も網の任意の穴を利用して取り付けることができるため、アンカーバーとの連結が容易かつ合理的にできる。アンカーバーの地山への固定法としては、地山へ固定ボルトを打込む方法やアンカーバーと直交して地山に埋められる支圧板方式が存在するが、これは地形や地質の条件によって選択が行なわれ、合理性と経済性が図られる。
【００１４】
【発明の実施の形態】
次にこの発明の実施の形態を添付図面に基づき詳細に説明する。図１は急傾斜地に施工する土留工の断面図、図２はその一部拡大断面図、図３は図２のＩＩＩ−ＩＩＩ断面を示す断面図である。この土留工が適用される地山１はボルトの植込みが可能な地質であって安定している斜面である。このような急傾斜地の斜面２を削って壁体３を設置するための平坦部４を等高線に沿って形成すると共にボルト孔５を穿設するための立上り部６を適宜形成する。
【００１５】
壁体３は地山１に略水平に設置するボルト７で支持され、その背面には樹木の生育に好適な裏込土８を投入して頂部に水平もしくは緩勾配の植樹帯９を段々に形成し、各段には壁体３を覆うような樹木１０を植える。この壁体３は１．５メートル程度の高さであって、各段毎に形成していく。例えば上方から切土を行う場合には先ず最上段の壁体３を据付けた後、下段の斜面２を削り、この掘削した土砂を表土とそれ以外の土石とに分割して仮置きする。形成された下段の平坦部４を利用して立上り部６にボルト孔５を穿設し、ボルト７を地山１に打ち込んでグラウト等により固定する。下段の壁体３をボルト７で接続し、仮置きした土石及び表土を裏込土８として投入して新たな植樹帯９を形成する。上記手順により順次下方に切り下げながら斜面２を削って得られた土砂の無駄を極力なくすと共に、作業足場を確保して安全を図る。
【００１６】
壁体３は型鋼１１で補強された鋼製網１２と、この鋼製網１２に結束ワイヤ等の締結部材１３を介して垂直に緊結される間伐材１４と、鋼製網１２の背面に配設する吸出し防止材１５よりなる。この実施形態で使用する鋼製網１２は図４に示すように水平・垂直方向に適宜間隔で型鋼１１を配設しているが、前面に立設する間伐材の剛性を生かすことで垂直方向の型鋼を省略することも可能である。
【００１７】
壁体３をボルト７で支持するため接続金具１６を用いる。この接続金具の詳細を図５に基づき説明する。図５はボルト接続部の拡大縦断面図である。接続金具１６は、鋼製網１２の前面より差込むインサート１７と、これと鋼製網１２との間に介在するインサートプレート１８と、鋼製網１２の背面でインサート１７に螺着する筒体１９よりなる。インサート１７は矩形又は円形に形成する支持板１７ａと、その中心に突設するねじ付柱体１７ｂを有し、地山に固定するボルト７は鋼製網１２側の端部にナット７ａを螺着する。筒体１９は内面に凸部１９ａを周設し、外方から挿入するボルト７にナット７ａを捻じ込んだ後これを自在継手状に掛止する。又筒体１９の内面他端には雌ねじ１９ｂを螺刻し、ねじ付柱体１７ｂと螺合する。
【００１８】
インサート１７は鋼製網１２の任意の網目を通すことができるのでボルト７の位置に合せやすく、又所定範囲内であればボルト７が、あらゆる方向に傾いていても筒体１９とインサート１７を接続することができる。このためボルト７の設置が容易になる。又ボルト７と鋼製網１２を直接連結することによって柱構造を省くことができる。鋼製網１２は型鋼１１による補強によって重量増があっても、一平方メートル当たり１０ｋｇ程度であり傾斜地で使用することの多いこの種の工法としては、格段の軽量化が実現し、施工性は著しく向上する。
【００１９】
なお以上説明した土留構造では地山へ固定ボルトを打込むケースで説明したが、ボルト後端にアンカープレートを固定してこれを地山に埋設する方式でもよい。又既設の切土・盛土法面や自然斜面の中腹に水平面を設けようという場合でも、鋼製網の使用は有効である。斜面に打込んだ固定ボルトの強力な引抜耐力を活用することによって、鋼製網の上方から切り取った土砂をその中に埋め込めば固定ボルトによって支えられた安定した水平面を得ることが可能である。
【００２０】
水平面は植樹スペースとして利用できるほかに、遊歩道や管理用道路として重要な価値を有する。又、盛土を構築する際に有孔管等を埋設して雨水の集水を図ることが可能である。これは森が本来有している緑のダムの機能を拡大するものであり、土が有する貯水機能を最大に発揮させて脱ダム時代の有力な代替策と成り得るものである。広幅員の水平面を要する場合には、下段部から徐々に上部へ移行し複数の水平な固定ボルトの使用によって、工事用進入路や車線増設への対応へ発展させることも可能である。
【００２１】
【発明の効果】
以上説明したように、この発明の土留構造は、受圧板として鋼材で補強された鋼製網を用いこれに補強用の間伐材を立設係止するので、耐用年数が短い間伐材が腐食した後も鋼製網の腐食の限度まで耐久性を延長することができ、この間土砂の垂直性を確保することができる。又鋼製網は鋼材による補強によって重量増があっても、一平方メートル当たり１０ｋｇ程度であり壁体の格段の軽量化が実現し、施工性は著しく向上する。又間伐材のあらゆる不揃いを許容できるのでより低コスト化が図れる。
【図面の簡単な説明】
【図１】土留工の断面図である。
【図２】図１の一部拡大断面図である。
【図３】図２のＩＩＩ−ＩＩＩ断面を示す断面図である。
【図４】鋼製網の正面図である。
【図５】ボルト接続部の拡大縦断面図である。
【符号の説明】
１　地山
３　壁体
７　ボルト
８　裏込土
１０　樹木
１１　型鋼
１２　鋼製網
１３　締結部材
１４　間伐材
１５　吸出し防止材
１６　接続金具
【図１】
2004100237.tif 000003
【図２】
2004100237.tif 000004
【図３】
2004100237.tif 000005
【図４】
2004100237.tif 000006
【図５】
2004100237.tif 000007